(57)【要約】      （修正有）【課題】折畳雨傘の構造を軽量化し、更に傘骨に補強材を設置して強度を向上する超軽量型雨傘中棒を提供する。【解決手段】傘骨１，中棒２及びロクロ３からなり、ロクロ３は中棒２にスライド可能に嵌合し、傘骨１は第１〜第３段のヒンジ連結構造１１，１２，１３とし、該中棒２の最上端には連接環２１を設けて支持桿４の一端を枢設して他端をヒンジ部品で傘骨１の中間に連接する。中棒２に隣接する一段は長さ方向に沿って凹溝体を設けて支持桿４を折畳み収納可能とし、連接スレッド５を該支持桿４に連接すると共に他端を傘骨１に連接し、ロクロ３の昇降により折畳傘を展開、折畳操作する。中棒２の直は６−７．６ｍｍに設定し、傘骨１の重量は４５−５０ｇとした。【選択図】図１
0003210226.tif 000002
【実用新案登録請求の範囲】
【請求項１】
傘骨、中棒及びロクロから構成された超軽量型雨傘中棒において、
上記ロクロを中棒にスライド可能に嵌合し、
上記傘骨は中棒を中心としてその一端はロクロに連接して該ロクロの引き下げ操作により傘を閉じるようにし、
該中棒最上端には連接環を設けて支持桿の一端を該連接環に枢設すると共に他端をヒンジ部品で傘骨の中間に連接し、
上記傘骨を少なくとも三段を順次ヒンジ連結してなり、中棒に隣接する一段は長さ方向に沿って凹溝体を設けて、該支持桿を凹溝体内に折畳み収納可能としたことを特徴とする超軽量型雨傘中棒。
【請求項２】
前記中棒は、少なくとも三段のアルミニウム管を連接することによって構成し、且つ中棒の直径は６‐７．６ｍｍとすることを特徴とする請求項１記載の超軽量型雨傘中棒。
【請求項３】
前記傘骨は、第一連接段、第二連接段、第三連接段とした三段で構成し、そのうち第三連接段の一端はロクロと連接したことを特徴とする請求項１記載の超軽量型雨傘中棒。
【請求項４】
前記第三連接段の上端面に該凹溝体を設け、第三連接段の中間点に連接する支持桿を設けると共に、前記第二連接段と第三連接段の中間点には連接スレッドを設けて、該連接スレッドの他端を該支持桿に連接したことを特徴とする請求項３記載の超軽量型雨傘中棒。
【請求項５】
前記第一連接段、第二連接段と第三連接段は、長さ方向に沿って補強材を設置したことを特徴とする請求項３記載の超軽量型雨傘中棒。
【請求項６】
前記連接スレッドの他端は支持桿に連接し、該連接スレッドは第一連接段、第二連接段と第三連接段を通ることを特徴とする請求項４記載の超軽量型雨傘中棒。
【考案の詳細な説明】
【技術分野】
【０００１】
本考案は、雨具に関するもので、特に超軽量型雨傘中棒に係る。
【背景技術】
【０００２】
傘は、日よけや雨よけのツールであり、雨傘は一般に傘骨及び傘布から構成される。現在の技術の中の雨傘は一般に長傘と折畳み傘の二種に分かれ、折畳み傘は、折り畳み収納ができるので人気がある。
【０００３】
折畳み傘は三つ折りで収納し、短棒状にして収納できるので、携帯に便利である。
【先行技術文献】
【特許文献】
【０００４】
【特許文献１】登録実用新案第３２０４９２８号公報
【特許文献２】登録実用新案第３１３３７０８号公報
【考案の概要】
【考案が解決しようとする課題】
【０００５】
解決しようとする問題点は、折畳み傘において、使用に際して折り畳み機構を展開するという、折畳みの設計上、その連結部は、長傘よりも多いため、長期間の使用によって、傘骨は変形し易く、その寿命は比較的短い。
【０００６】
その他、天気が良い時も雨が降っている時も、人々は傘を使用して日差しを遮ったり、雨を避けたりする。傘は人々が常に携帯するツールであるため、傘の重量を軽視してはならず、重いと負担となる。特に子供にとっては負担であり、外出しての街歩きや接待などで、傘が重いと不便である。
【０００７】
現在の技術において、雨傘中棒に対して改善を加え、超軽量型雨傘中棒を提供する。
【課題を解決するための手段】
【０００８】
本考案は、傘骨，中棒及びロクロを含む。ロクロは中棒にスライド可能に嵌合し、傘骨は中棒を中心として設置し且つ傘骨の一端はロクロで共に連接し、ロクロを引き下げると傘が閉じる。該中棒の最上端には連接環を設置する。連接環には支持桿を設置し、支持桿の一端は連接環に枢設し、他端はヒンジ部品で傘骨の中間に連接する。該傘骨は少なくとも三段を順次ヒンジ連結して設置し、中棒に隣接する一段は長さ方向に沿って凹溝体を設置する。該支持桿は凹溝体内に折畳み収納可能とする。本考案に於いて、中棒は６−７．６ｍｍに設定し、傘骨の重量は４５-５０ｇに設定することを最も主要な特徴とする。
【考案の効果】
【０００９】
本考案の超軽量型雨傘中棒は、傘骨によって雨傘全体の重量が軽くなることから、携帯に便利になり、また傘骨に補強材を更に設置することで重量を減らすと同時に傘骨の強靭性を高めて使用寿命を伸ばすという利点がある。
【図面の簡単な説明】
【００１０】
【図１】本考案の良好な実施例の指示図である。
【考案を実施するための形態】
【００１１】
本考案の目的は、従来技術の強度不足を改善した超軽量型雨傘中棒を提供する。
【００１２】
上述の技術問題を改善するため、本考案は、以下の構成を採用する。超軽量型雨傘中棒は、傘骨、中棒及びロクロを含む。ロクロは中棒上に嵌合し、傘骨は中棒を中心として設置し且つ傘骨の一端はロクロで共に連接する。ロクロを押し引くと傘が閉じる。該中棒の最上端には連接環を設置し、連接環には支持桿を設置し、支持桿の一端は連接環に枢設し、別一端はヒンジ部品で傘骨の中間に連接する。該傘骨は少なくとも三段を順次ヒンジ連結して設置し、中棒に隣接する一段は長さ方向に沿って凹溝体を設置し，該支持桿は凹溝体内に折畳み収納する。
【００１３】
更に、上述技術案において、該中棒は少なくとも三段のアルミニウム管が連接することによって構成し，且つ中棒の直径は６−７．６ｍｍとする。
【００１４】
更に、上述技術案において，該傘骨は三段から構成され、第一連接段、第二連接段と第三連接段を含む。そのうち第三連接段の一端はロクロと連接する。
【００１５】
更に、上述技術案において，該第三連接段の上端面は該凹溝体を設置し、支持桿は第三連接段の中間点に連接し、且つ第二連接段と第三連接段の中間点には連接スレッドを設置し、連接スレッドの別一端は支持桿に連接する。
【００１６】
更に、上述技術案において，該第一連接段、第二連接段と第三連接段の長さ方向に沿って補強材を設置する。
【００１７】
更に上述技術において、該連接スレッドは第一連接段、第二連接段と第三連接段を通る。
【００１８】
上述技術案を採用することによって、本考案は従来技術と比較して以下の効果を備える。本考案の中棒は６−７．６ｍｍに設定し、該連接スレッドは第一連接段、第二連接段と第三連接段を通る。傘骨の重量は４５−５０ｇに設定し、傘骨によって雨傘全体の重量が軽くなることから、携帯に便利になる。その他，傘骨において補強材を更に設置し，重量を減らすと同時に傘骨の強靭性を高めて使用寿命を伸ばす。
【実施例１】
【００１９】
以下に、具体実施例と添付図を挙げて本考案を更に詳細に説明する。
【００２０】
図１に示すとおり、超軽量型雨傘中棒は、傘骨１，中棒２及びロクロ３を含む。ロクロ３は中棒２にスライド可能に嵌合する。傘骨１は中棒２を中心として設置し、傘骨１の一端はロクロ３に連接し、ロクロ３を引き下げることで傘が閉じる。
その特徴として、該中棒２最上端に連接環２１を設置し、連接環２１上には支持桿４を設置する。支持桿４の一端は連接環２１に枢設し、他端はヒンジ部品で傘骨１の中部に連接する。該傘骨１は少なくとも三段を順次ヒンジ連結してなり、中棒２に隣接する一段は長さ方向に沿って凹溝体を設置し，該支持桿４は凹溝体内に折畳み収納する。
【００２１】
該中棒２は、少なくとも三段に伸縮するアルミニウム管を連接することによって構成し、且つ中棒２の直径は６−７．６ｍｍであり、ここでは６ｍｍに設定する。
【００２２】
該傘骨１は三段で構成し、第一連接段１１、第二連接段１２と第三連接
段１３からなる。そのうち、第三連接段１３の一端はロクロ３と連接し、第三連接段１３の上端面には前記凹溝体を設け、支持桿４は第三連接段１３の中間点に連接し、且つ第二連接段１２と第三連接段１３の中間点は連接スレッド５を設置する。連接スレッド５の他端は支持桿４に連接し、連接スレッド５は第一連接段１１、第二連接段１２と第三連接段１３を挿通する。
【００２３】
前記凹溝体は第三連接段１３の上端面に設けられ、支持桿４が凹溝体内に収納される。そのため、支持桿４の長さは第三連接段１３の長さ及び幅よりも小さくなければならない。当然、ここで指している收納とは、完全收納ではなく、傘面が開いた時、傘骨１が開き、支持桿４が凹溝体内に一部が収納される。
【００２４】
傘骨１の重量設定は４５−５０ｇの間であることから、傘骨１の幅の設定は比較的細く、傘骨１の強度を高めるため、第一連接段１１、第二連接段１２と第三連接段１３の長さ方向に補強材を設置し、これら傘の補強構造全体の重量は５ｇとする。
【００２５】
その他、中棒２内には更にバネ組部品を設置し、傘骨１が開いた時に維持固定する作用を達成する。使用時には、ロクロ３を中棒２最上端に向かってスライド移動させ、支持桿４が傘骨１を開かせる。傘面が開くと、連接スレッド５もそれに連動して移動し、各連接段の傘骨に対して展開した状態に維持する作用を達成する。
この様に、本考案全体は軽量構造であるため、重量が軽く、携帯に便利である。
【００２６】
当然であるが、以上は本考案の具体的実施例にすぎず、本考案の請求範囲を制限するものではない。本考案の請求範囲の構造、特徴及び原理に基づいて実施した同効果変化もしくは修飾は、すべて本考案の請求範囲に含まれる。
【符号の説明】
【００２７】
１        傘骨
１１        第一連接段
１２        第二連接段
１３        第三連接段
２        中棒
２１        連接環
３        ロクロ
４        支持桿
４１        ヒンジ部品
５        連接スレッド
【図１】
0003210226.tif 000003